(57)【要約】【課題】  占有面積を小さくして、端末の小型化、低コスト化を図ることができる電力増幅器を提供する。【解決手段】  電力増幅器１３は、第１増幅器１６と第２増幅器１７との間に段間整合回路１８を接続する構成とする。段間整合回路１８は、第１，第２の送信信号ＴＸ1，ＴＸ2に対応した第１，第２の整合回路１９，２０を備える。このとき、第１の整合回路１９は、共通回路部２１と第１の個別回路部２２によって構成し、第２の整合回路２０は、共通回路部２１と第２の個別回路部２３によって構成する。また、共通回路部２１と第１，第２の個別回路部２２，２３との間には、第１，第２の個別回路部２２，２３を選択的に共通回路部２１に接続するスイッチ回路２６を設ける。【選択図】        図４
2009218907.tif 000002
【特許請求の範囲】
【請求項１】
周波数帯域が相互に異なる第１，第２の信号を増幅するために直列に接続された第１増幅器および第２増幅器と、該第１増幅器と第２増幅器との間に設けられ前記第１の信号に対して前記第１増幅器と第２増幅器との間を整合させる第１の整合回路と、前記第１増幅器と第２増幅器との間に設けられ前記第２の信号に対して前記第１増幅器と第２増幅器との間を整合させる第２の整合回路とを備えた電力増幅器において、
前記第１の整合回路と第２の整合回路とは、互いに共通した共通回路部と、互いに異なる第１の個別回路部および第２の個別回路部とを備え、
前記共通回路部に対して第１の個別回路部および第２の個別回路部を選択的に接続するスイッチ回路を設ける構成としたことを特徴とする電力増幅器。
【請求項２】
前記共通回路部は、前記第１増幅器と第２増幅器との間に直列に接続されたカップリングコンデンサを用いて構成し、
前記第１，第２の個別回路部は、電源端子と前記第１増幅器の出力端子との間に並列に接続された第１，第２のインダクタを用いてそれぞれ構成し、
前記スイッチ回路は、該第１，第２のインダクタと前記第１増幅器の出力端子との間に位置して、該第１，第２のインダクタを選択的に前記第１増幅器の出力端子に接続する構成としてなる請求項１に記載の電力増幅器。
【請求項３】
前記第１，第２の信号は、携帯電話用の送信周波数帯域を有する第１，第２の送信信号であり、
該第１の送信信号の送信周波数帯域と第２の送信信号の送信周波数帯域との間隔は、１００ＭＨｚ以内に設定してなる請求項１または２に記載の電力増幅器。
【発明の詳細な説明】
【技術分野】
【０００１】
本発明は、互いに直列接続された第１増幅器および第２増幅器を用いて、周波数帯域が相互に異なる複数の信号を増幅する電力増幅器に関する。
【背景技術】
【０００２】
一般に、携帯電話等の無線通信機として、互いに異なる周波数帯域の第１，第２の信号（送信信号）を送信するものが知られている。このようなマルチバンドの無線通信機では、第１，第２の信号を増幅する電力増幅器を備えている（例えば、特許文献１，２参照）。このとき、電力増幅器は、互いに直列接続された第１増幅器および第２増幅器と、第１の信号に対して第１増幅器と第２増幅器との間を整合させる第１の整合回路と、第２の信号に対して第１増幅器と第２増幅器との間を整合させる第２の整合回路とを備えている。
【０００３】
【特許文献１】特開２００２−２４６８５９号公報
【特許文献２】特開２００４−７７９６号公報
【発明の開示】
【発明が解決しようとする課題】
【０００４】
ところで、特許文献１には、第１，第２の信号に応じて第２増幅器を２個設け、これらの２個の第２増幅器を第１，第２の信号に応じて選択的に動作させる構成が開示されている。しかし、特許文献１の電力増幅器では、第２増幅器を複数個設けるため、大規模な回路になり易く、電力増幅器の占める面積が大きくなって無線通信機（端末）が大型化するという問題がある。
【０００５】
また、特許文献２には、第１増幅器と第２増幅器との間に第１，第２の整合回路を並列接続すると共に、第１，第２の整合回路の両端側（入力側と出力側）にそれぞれスイッチを設け、該スイッチを用いて第１，第２の整合回路を選択する構成が開示されている。しかし、特許文献２の電力増幅器でも、２つのスイッチを用いるため、電力増幅器が大型化する傾向がある。
【０００６】
本発明は上述した従来技術の問題に鑑みなされたもので、本発明の目的は、占有面積を小さくして、端末の小型化、低コスト化を図ることができる電力増幅器を提供することにある。
【課題を解決するための手段】
【０００７】
上述した課題を解決するために、本発明は、周波数帯域が相互に異なる第１，第２の信号を増幅するために直列に接続された第１増幅器および第２増幅器と、該第１増幅器と第２増幅器との間に設けられ前記第１の信号に対して前記第１増幅器と第２増幅器との間を整合させる第１の整合回路と、前記第１増幅器と第２増幅器との間に設けられ前記第２の信号に対して前記第１増幅器と第２増幅器との間を整合させる第２の整合回路とを備えた電力増幅器に適用される。
【０００８】
そして、請求項１の発明が採用する構成の特徴は、前記第１の整合回路と第２の整合回路とは、互いに共通した共通回路部と、互いに異なる第１の個別回路部および第２の個別回路部とを備え、前記共通回路部に対して第１の個別回路部および第２の個別回路部を選択的に接続するスイッチ回路を設ける構成としたことにある。
【０００９】
請求項２の発明では、前記共通回路部は、前記第１増幅器と第２増幅器との間に直列に接続されたカップリングコンデンサを用いて構成し、前記第１，第２の個別回路部は、電源端子と前記第１増幅器の出力端子との間に並列に接続された第１，第２のインダクタを用いてそれぞれ構成し、前記スイッチ回路は、該第１，第２のインダクタと前記第１増幅器の出力端子との間に位置して、該第１，第２のインダクタを選択的に前記第１増幅器の出力端子に接続する構成としている。
【００１０】
請求項３の発明では、前記第１，第２の信号は、携帯電話用の送信周波数帯域を有する第１，第２の送信信号であり、該第１の送信信号の送信周波数帯域と第２の送信信号の送信周波数帯域との間隔は、１００ＭＨｚ以内に設定している。
【発明の効果】
【００１１】
請求項１の発明によれば、第１の整合回路と第２の整合回路とは、互いに共通した共通回路部と、互いに異なる第１の個別回路部および第２の個別回路部とを備える構成としたから、共通回路部と第１の個別回路部とを用いて第１の整合回路を構成することができ、共通回路部と第２の個別回路部とを用いて第２の整合回路を構成することができる。
【００１２】
また、スイッチ回路は共通回路部に対して第１の個別回路部および第２の個別回路部を選択的に接続するから、第１増幅器と第２増幅器との間には、第１，第２の信号に応じて第１，第２の整合回路のうちいずれか一方を接続することができる。このため、第１，第２の信号のうちいずれの信号が入力された場合でも、第１増幅器と第２増幅器との間が整合した状態で第１，第２の信号を増幅することができる。
【００１３】
さらに、第１，第２の信号は、共通の第１増幅器を用いて増幅するのに加えて、共通の第２増幅器を用いて増幅する。このため、例えば第２増幅器を第１，第２の信号に応じて別個に設けた場合に比べて、第２増幅器を１個にすることができる。また、第１，第２の整合回路は互いに共通した共通回路部を備えるから、第１，第２の整合回路を全て別個に構成した場合に比べて、回路の構成部品等を減少させることができる。さらに、第１，第２の個別回路部はスイッチ回路を用いて共通回路部に接続するから、例えば第１，第２の整合回路の両端側（入力側と出力側）にそれぞれスイッチを設けた場合に比べて、スイッチ回路の個数を１個にすることができる。この結果、電力増幅器の回路規模を小さくすることができるから、電力増幅器の占有面積を小さくして、端末の小型化、低コスト化を図ることができる。
【００１４】
請求項２の発明によれば、共通回路部は第１増幅器と第２増幅器との間に直列に接続されたカップリングコンデンサを用いて構成し、第１，第２の個別回路部は電源端子と第１増幅器の出力端子との間に並列に接続された第１，第２のインダクタを用いてそれぞれ構成したから、カップリングコンデンサとチョークコイルとなる第１，第２のインダクタを用いて第１，第２の整合回路をそれぞれ構成することができる。また、スイッチ回路は第１，第２のインダクタを選択的に第１増幅器の出力端子に接続するから、第１の信号を増幅するときには第１のインダクタを介して第１増幅器の出力端子を電源端子に接続し、第２の信号を増幅するときには第２のインダクタを介して第１増幅器の出力端子を電源端子に接続する。これにより、第１増幅器には、第１，第２のインダクタを介して電源電圧を供給することができる。
【００１５】
請求項３の発明によれば、第１の送信信号（第１の信号）の送信周波数帯域と第２の送信信号（第２の信号）の送信周波数帯域との間隔は１００ＭＨｚ以内に設定した。この場合、第１，第２の送信信号の周波数帯域が近いから、第１，第２の送信信号を共通の第１増幅器を用いて増幅したときや、共通の第２増幅器を用いて増幅したときでも、信号歪み等を生じることなく、充分な利得をもって送信信号を増幅することができる。
【発明を実施するための最良の形態】
【００１６】
以下、本発明の実施の形態による電力増幅器を携帯電話等の無線通信機に適用した場合を例に挙げて、添付図面を参照しつつ詳細に説明する。
【００１７】
まず、図１は実施の形態による無線通信機１を示し、該無線通信機１は、後述の送信装置２、第１，第２のデュプレクサ２７，２９、第１，第２の受信装置２８，３０、ダイプレクサ３１、アンテナ３２等によって構成されている。
【００１８】
送信装置２は、図２に示すように、第１，第２の送信信号ＴＸ1，ＴＸ2を出力する送信信号発生器３と、該送信信号発生器３の出力側に接続され第１，第２の送信信号ＴＸ1，ＴＸ2の電力増幅する電力増幅モジュール４とによって構成されている。このとき、第１の送信信号ＴＸ1は、例えばＵＳ−Ｃｅｌｌｕｌａｒ方式の信号からなり８２４〜８４９ＭＨｚ（または８２４〜８３０ＭＨｚ）の送信周波数帯域を有している。一方、第２の送信信号ＴＸ2は、例えばＪ−ＣＤＭＡ方式の信号からなり８９８〜９２５ＭＨｚの送信周波数帯域を有している。これにより、第１，第２の送信信号ＴＸ1，ＴＸ2は、１００ＭＨｚ以内の間隔（バンドギャップ）をもって互いに異なる周波数帯域の信号となっている。
【００１９】
また、第１，第２の送信信号ＴＸ1，ＴＸ2の間の周波数帯域には、ＵＳ−Ｃｅｌｌｕｌａｒ方式による第１の受信信号ＲＸ1の周波数帯域が配置されると共に、Ｊ−ＣＤＭＡ方式による第２の受信信号ＲＸ2の周波数帯域が配置されている。このとき、第１の受信信号ＲＸ1は、例えば８６９〜８９４ＭＨｚまたは８６９〜８７５ＭＨｚの周波数帯域を有し、第２の受信信号ＲＸ2は、例えば８４３〜８７０ＭＨｚの周波数帯域を有している。
【００２０】
そして、送信信号発生器３は、デジタル信号等に基づいて第１，第２の送信信号ＴＸ1，ＴＸ2を変調し、共通の出力端子から第１，第２の送信信号ＴＸ1，ＴＸ2のうちいずれか一方を出力する。
【００２１】
電力増幅モジュール４は、入力側スイッチ５、フィルタ回路６、電力検出器９、アイソレータ１１、出力側スイッチ１２、電力増幅器１３等によって構成されている。
【００２２】
このとき、入力側スイッチ５は、入力端子５Ａが送信信号発生器３の出力端子に接続され、第１，第２の送信信号ＴＸ1，ＴＸ2を第１，第２の出力端子５Ｂ，５Ｃに振り分ける。即ち、入力側スイッチ５は、送信信号発生器３から第１の送信信号ＴＸ1が出力されたときには、入力端子５Ａを第１の出力端子５Ｂに接続し、送信信号発生器３から第２の送信信号ＴＸ2が出力されたときには、入力端子５Ａを第２の出力端子５Ｃに接続する。
【００２３】
フィルタ回路６は、入力側スイッチ５の出力端子５Ｂ，５Ｃにそれぞれ接続された第１，第２の入力端子６Ａ，６Ｂと、第１の入力端子６Ａに接続された第１の帯域通過フィルタ７と、第２の入力端子６Ｂに接続された第２の帯域通過フィルタ８と、第１，第２の帯域通過フィルタ７，８の出力側に接続された共通の出力端子６Ｃとを備える構成となっている。
【００２４】
このとき、第１，第２の帯域通過フィルタ７，８は、例えばＳＡＷフィルタ（弾性表面波フィルタ）等によって構成されている。そして、第１の帯域通過フィルタ７は、第１の送信信号ＴＸ1を通過させ、第１，第２の受信信号ＲＸ1，ＲＸ2および第２の送信信号ＴＸ2を遮断する。一方、第２の帯域通過フィルタ８は、第２の送信信号ＴＸ2を通過させ、第１，第２の受信信号ＲＸ1，ＲＸ2および第１の送信信号ＴＸ1を遮断する。
【００２５】
電力検出器９は、図２に示すように、後述の電力増幅器１３を挟んでフィルタ回路６の出力側に接続され、入力側から出力側に向けて通過する第１，第２の送信信号ＴＸ1，ＴＸ2を検出する検出回路を構成している。そして、電力検出器９は、増幅後の第１，第２の送信信号ＴＸ1，ＴＸ2の電力を検出し、これらの電力に応じた信号（検出信号）を検出端子から出力する。
【００２６】
また、電力検出器９の検出端子には、ベースバンドＩＣ（ベースバンド集積回路）１０に接続されている。ベースバンドＩＣ１０は、電力検出器９から第１，第２の送信信号ＴＸ1，ＴＸ2の電力に応じた検出信号が出力されたときに、この検出信号に基づいて所望の出力電力が得られるように、電力増幅器１３を制御する。
【００２７】
なお、検出回路は、電力検出器９に限らず、例えば第１，第２の送信信号ＴＸ1，ＴＸ2の一部を分岐して検出するカップラ（結合器）等によって構成してもよい。
【００２８】
アイソレータ１１は、電力検出器９の出力側に接続され、入力側から出力側（順方向）に向けて低損失の挿入損失で第１，第２の送信信号ＴＸ1，ＴＸ2を伝送させ、出力側から入力側（逆方向）に向けて大きな減衰量で信号を遮断する。
【００２９】
出力側スイッチ１２は、入力端子１２Ａがアイソレータ１１の出力端子に接続され、第１，第２の送信信号ＴＸ1，ＴＸ2を第１，第２の出力端子１２Ｂ，１２Ｃに振り分ける。即ち、出力側スイッチ１２は、アイソレータ１１から第１の送信信号ＴＸ1が出力されたときには、入力端子１２Ａを第１の出力端子１２Ｂに接続し、アイソレータ１１から第２の送信信号ＴＸ2が出力されたときには、入力端子１２Ａを第２の出力端子１２Ｃに接続する。そして、出力側スイッチ１２の第１の出力端子１２Ｂは第１のデュプレクサ２７に接続され、第２の出力端子１２Ｃは第２のデュプレクサ２９に接続されている。
【００３０】
電力増幅器１３は、フィルタ回路６の出力端子６Ｃと電力検出器９の間に接続され、第１，第２の送信信号ＴＸ1，ＴＸ2を増幅する。また、電力増幅器１３は、図３に示すように、入力側に設けられた入力側整合回路１４と、出力側に設けられた出力側整合回路１５と、整合回路１４，１５の間に設けられた第１増幅器１６および第２増幅器１７と、増幅器１６，１７間に設けられた段間整合回路１８とによって構成されている。
【００３１】
ここで、入力側整合回路１４は、電力増幅器１３の入力端子１３Ａを介してフィルタ回路６の第１，第２の帯域通過フィルタ７，８に接続されている。そして、入力側整合回路１４は、第１増幅器１６と第１，第２の帯域通過フィルタ７，８との間の整合を取っている。
【００３２】
出力側整合回路１５は、電力増幅器１３の出力端子１３Ｂを介して電力検出器９に接続されている。そして、出力側整合回路１５は、第１，第２の送信信号ＴＸ1，ＴＸ2に対して、第２増幅器１７と電力検出器９との間の整合を取っている。
【００３３】
また、第１増幅器１６および第２増幅器１７は、例えば２段のヘテロ接合バイポーラトランジスタ等によって構成されている。また、第１増幅器１６および第２増幅器１７は、第１，第２の送信信号ＴＸ1，ＴＸ2の両方の周波数帯域の信号を増幅するために、例えば１００ＭＨｚ以上の広帯域に亘って利得が得られるものが使用される。
【００３４】
段間整合回路１８は、第１，第２の送信信号ＴＸ1，ＴＸ2の周波数帯域では、増幅器１６，１７間の整合を取るものの、第１，第２の受信信号ＲＸ1，ＲＸ2の周波数帯域では、増幅器１６，１７間の整合性が低下し、減衰量が大きくなる構成となっている。これにより、電力増幅器１３は、第１，第２の送信信号ＴＸ1，ＴＸ2の間の周波数帯域では、その利得が低下している。
【００３５】
段間整合回路１８は、図４に示すように、第１の送信信号ＴＸ1に対して第１増幅器１６と第２増幅器１７との間を整合させる第１の整合回路１９と、第２の送信信号ＴＸ2に対して第１増幅器１６と第２増幅器１７との間を整合させる第２の整合回路２０とを備えている。
【００３６】
また、段間整合回路１８は、第１，第２の整合回路１９，２０で互いに共通した共通回路部２１と、互いに異なる第１の個別回路部２２および第２の個別回路部２３とを備えている。そして、第１の整合回路１９は、共通回路部２１および第１の個別回路部２２によって構成される。一方、第１の整合回路２０は、共通回路部２１および第２の個別回路部２３によって構成される。
【００３７】
ここで、共通回路部２１は、第１増幅器１６と第２増幅器１７との間に位置して、増幅器１６，１７に直列に接続されたカップリングコンデンサ２１Ａを用いて構成している。このため、共通回路部２１は、第１，第２の送信信号ＴＸ1，ＴＸ2を通過させ、直流成分等の低周波の信号を遮断する。
【００３８】
一方、第１の個別回路部２２は、例えば第１増幅器１６の電源電圧Ｖccを供給する電源端子２４と第１増幅器１６の出力端子１６Ａとの間に接続された第１のインダクタ２２Ａを用いて構成している。また、第２の個別回路部２３は、電源端子２４と第１増幅器１６の出力端子１６Ａとの間に接続された第２のインダクタ２３Ａを用いて構成している。
【００３９】
ここで、第１，第２のインダクタ２２Ａ，２３Ａは、電源端子２４と第１増幅器１６の出力端子１６Ａとの間に並列接続されている。そして、第１，第２のインダクタ２２Ａ，２３Ａは、高周波遮断用のチョークコイルとして機能する。このため、第１，第２のインダクタ２２Ａ，２３Ａは、直流成分からなる電源電圧Ｖccを電源端子２４から第１増幅器１６の出力端子１６Ａに供給し、高周波の信号を遮断する。
【００４０】
なお、電源端子２４には、電源端子２４からのノイズを除去するためのフィルタ回路２５が接続されている。このとき、フィルタ回路２５はコンデンサ２５Ａによって構成され、該コンデンサ２５Ａは、一端側が電源端子２４に接続されると共に、他端側がグランドに接続されている。
【００４１】
スイッチ回路２６は、例えば第１増幅器１６の出力端子１６Ａと第１，第２の個別回路部２２，２３（インダクタ２２Ａ，２３Ａ）との間に設けられている。そして、スイッチ回路２６は、第１，第２のインダクタ２２Ａ，２３Ａのうちいずれか一方を選択的に第１増幅器１６の出力端子１６Ａに接続する。これにより、第１の送信信号ＴＸ1が入力されるときには、スイッチ回路２６は、共通回路部２１に対して第１の個別回路部２２を接続する。このとき、第１増幅器１６と第２増幅器１７との間には、第１の整合回路１９が接続される。
【００４２】
一方、第２の送信信号ＴＸ2が入力されるときには、スイッチ回路２６は、共通回路部２１に対して第２の個別回路部２３を接続する。このとき、第１増幅器１６と第２増幅器１７との間には、第２の整合回路２０が接続される。
【００４３】
第１のデュプレクサ２７は、図１に示すように、送信装置２の出力側と第１の受信装置２８の入力側とに接続されると共に、後述のダイプレクサ３１を介してアンテナ３２に接続されている。ここで、デュプレクサ２７は、例えば２つのフィルタ回路によって構成されている。そして、第１の送信信号ＴＸ1の送信時には、デュプレクサ２７は、送信信号ＴＸ1をダイプレクサ３１を介してアンテナ３２に向けて通過させる。一方、第１の受信信号ＲＸ1の受信時には、デュプレクサ２７は、アンテナ３２から受信した受信信号ＲＸ1をダイプレクサ３１を介して受信装置２８に向けて通過させる。
【００４４】
第２のデュプレクサ２９は、送信装置２の出力側と第２の受信装置３０の入力側とに接続されると共に、後述のダイプレクサ３１を介してアンテナ３２に接続されている。ここで、デュプレクサ２９は、例えば２つのフィルタ回路によって構成されている。そして、第２の送信信号ＴＸ2の送信時には、デュプレクサ２９は、送信信号ＴＸ2をダイプレクサ３１を介してアンテナ３２に向けて通過させる。一方、第２の受信信号ＲＸ2の受信時には、デュプレクサ２９は、アンテナ３２から受信した受信信号ＲＸ2をダイプレクサ３１を介して受信装置３０に向けて通過させる。
【００４５】
ダイプレクサ３１は、第１，第２のデュプレクサ２７，２９に接続されると共に、アンテナ３２に接続されている。そして、ダイプレクサ３１は、ＵＳ−Ｃｅｌｌｕｌａｒ方式の通信を行うときには、アンテナ３２を第１のデュプレクサ２７に接続する。一方、ダイプレクサ３１は、Ｊ−ＣＤＭＡ方式の通信を行うときには、アンテナ３２を第２のデュプレクサ２９に接続する。
【００４６】
本実施の形態による無線通信機１は上述の如き構成を有するもので、次にその作動について説明する。
【００４７】
まず、無線通信機１の送信時には、例えば送信信号発生器３はベースバンド信号に基づいて高周波の第１の送信信号ＴＸ1を変調し、この送信信号ＴＸ1を出力する。このとき、電力増幅モジュール４は、電力増幅器１３を用いて送信信号ＴＸ1を増幅し、第１のデュプレクサ２７に向けて出力する。これにより、電力増幅後の送信信号ＴＸ1は、デュプレクサ２７、ダイプレクサ３１を介してアンテナ３２に供給され、アンテナ３２から外部に向けて送信される。
【００４８】
同様に、送信信号発生器３が第２の送信信号ＴＸ2を出力したときには、電力増幅モジュール４は、電力増幅器１３を用いて送信信号ＴＸ2を増幅し、第２のデュプレクサ２９に向けて出力する。これにより、電力増幅後の送信信号ＴＸ2は、デュプレクサ２９、ダイプレクサ３１、アンテナ３２を介して外部に向けて送信される。
【００４９】
一方、無線通信機１の受信時には、アンテナ３２から受信した微弱な受信信号ＲＸ1は、ダイプレクサ３１、デュプレクサ２７を介して第１の受信装置２８に送られる。このとき、第１の受信装置２８は、例えば受信信号ＲＸ1に対して低雑音の増幅を行い、中間周波信号にダウンコンバートした後に、ベースバンド信号に複調する。
【００５０】
また、アンテナ３２が第２の受信信号ＲＸ2を受信したときには、受信信号ＲＸ2は、ダイプレクサ３１、デュプレクサ２９を介して第２の受信装置３０に送られる。このとき、第２の受信装置３０は、第１の受信装置２８とほぼ同様の処理を行い、ベースバンド信号に複調する。
【００５１】
然るに、本実施の形態では、電力増幅器１３の段間整合回路１８は第１，第２の整合回路１９，２０によって構成すると共に、第１，第２の整合回路１９，２０とは、互いに共通した共通回路部２１と、互いに異なる第１，第２の個別回路部２２，２３とを備える構成とした。このため、共通回路部２１と第１の個別回路部２２とを用いて第１の整合回路１９を構成することができ、共通回路部２１と第２の個別回路部２３とを用いて第２の整合回路２０を構成することができる。
【００５２】
また、スイッチ回路２６は共通回路部２１に対して第１，第２の個別回路部２２，２３を選択的に接続するから、第１増幅器１６と第２増幅器１７との間には、第１，第２の送信信号ＴＸ1，ＴＸ2に応じて第１，第２の整合回路１９，２０のうちいずれか一方を接続することができる。このため、第１，第２の送信信号ＴＸ1，ＴＸ2のうちいずれの信号が入力された場合でも、第１増幅器１６と第２増幅器１７との間が整合した状態で第１，第２の送信信号ＴＸ1，ＴＸ2を増幅することができる。
【００５３】
さらに、第１，第２の送信信号ＴＸ1，ＴＸ2は、共通の第１増幅器１６を用いて増幅するのに加えて、共通の第２増幅器１７を用いて増幅する。このため、例えば第２増幅器を第１，第２の送信信号ＴＸ1，ＴＸ2に応じて別個に設けた場合に比べて、第２増幅器１７を１個にすることができる。
【００５４】
また、第１，第２の整合回路１９，２０は互いに共通した共通回路部２１を備えるから、第１，第２の整合回路１９，２０を全て別個に構成した場合に比べて、回路の構成部品等を減少させることができる。さらに、第１，第２の個別回路部２２，２３はスイッチ回路２６を用いて共通回路部２１に接続するから、例えば第１，第２の整合回路を並列接続すると共に、これらの両端側（入力側と出力側）にそれぞれスイッチを設けた場合に比べて、スイッチ回路２６の個数を１個にすることができる。この結果、電力増幅器１３の回路規模を小さくすることができるから、電力増幅器１３の占有面積を小さくして、無線通信機１（端末）の小型化、低コスト化を図ることができる。
【００５５】
また、共通回路部２１は第１増幅器１６と第２増幅器１７との間に直列に接続されたカップリングコンデンサ２１Ａを用いて構成し、第１，第２の個別回路部２２，２３は電源端子２４と第１増幅器１６の出力端子１６Ａとの間に並列に接続された第１，第２のインダクタ２２Ａ，２３Ａを用いてそれぞれ構成したから、カップリングコンデンサ２１Ａとチョークコイルとなる第１，第２のインダクタ２２Ａ，２３Ａを用いて第１，第２の整合回路１９，２０をそれぞれ構成することができる。また、スイッチ回路２６は第１，第２のインダクタ２２Ａ，２３Ａを選択的に第１増幅器１６の出力端子１６Ａに接続するから、第１の送信信号ＴＸ1を増幅するときには第１のインダクタ２２Ａを介して第１増幅器１６の出力端子１６Ａを電源端子２４に接続し、第２の送信信号ＴＸ2を増幅するときには第２のインダクタ２３Ａを介して第１増幅器１６の出力端子１６Ａを電源端子２４に接続する。これにより、第１増幅器１６には、第１，第２のインダクタ２２Ａ，２３Ａを介して電源電圧Ｖccを供給することができる。
【００５６】
さらに、第１の送信信号ＴＸ1の送信周波数帯域と第２の送信信号ＴＸ2の送信周波数帯域との間隔は１００ＭＨｚ以内に設定した。この場合、第１，第２の送信信号ＴＸ1，ＴＸ2の周波数帯域が近いから、第１，第２の送信信号ＴＸ1，ＴＸ2を共通の第１増幅器１６を用いて増幅したときや、共通の第２増幅器１７を用いて増幅したときでも、信号歪み等を生じることなく、充分な利得をもって送信信号ＴＸ1，ＴＸ2を増幅することができる。
【００５７】
また、第１，第２の送信信号ＴＸ1，ＴＸ2の間の周波数帯域では、段間整合回路１８を用いて電力増幅器１３の利得を低下させる構成としたから、電力増幅器１３は、第１，第２の送信信号ＴＸ1，ＴＸ2の間の周波数帯域では信号の増幅を抑制しつつ、第１，第２の送信信号ＴＸ1，ＴＸ2を増幅することができる。このため、第１，第２の受信信号ＲＸ1，ＲＸ2が第１，第２の送信信号ＴＸ1，ＴＸ2の間の周波数帯域に配置されている場合でも、第１，第２の受信信号ＲＸ1，ＲＸ2の周波数帯域では送信側の信号が増幅されるのを抑制することができ、第１，第２の受信信号ＲＸ1，ＲＸ2に対する雑音を低下させることができる。
【００５８】
なお、前記実施の形態では、電力検出器９の後段にアイソレータ１１を設ける構成としたが、アイソレータ１１を省く構成としてもよい。
【００５９】
また、前記実施の形態では、フィルタ回路６の入力側に入力側スイッチ５を設ける構成としたが、入力側スイッチはフィルタ回路の出力側に設ける構成としてもよい。
【００６０】
また、前記各実施の形態では、段間整合回路１８の共通回路部２１および第１，第２の個別回路部２２，２３の一例として図４に示す構成を例示したが、これについても図４に示した回路構成に限定されるものではなく、種々の目的に応じた共通回路部および第１，第２の個別回路部を構成してもよい。
【００６１】
さらに、前記各実施の形態では、電力増幅器１３を無線通信機１に適用した場合を例に挙げて説明したが、レーダ装置等に適用してもよい。
【図面の簡単な説明】
【００６２】
【図１】本発明の実施の形態による無線通信機を示すブロック図である。
【図２】図１中の送信装置を示すブロック図である。
【図３】図２中の電力増幅器を示すブロック図である。
【図４】図３中の電力増幅器を示す回路図である。
【符号の説明】
【００６３】
１  無線通信機
２  送信装置
４  電力増幅モジュール
１３  電力増幅器
１６  第１増幅器
１７  第２増幅器
１８  段間整合回路
１９  第１の整合回路
２０  第２の整合回路
２１  共通回路部
２１Ａ  カップリングコンデンサ
２２  第１の個別回路部
２２Ａ  第１のインダクタ
２３  第２の個別回路部
２３Ａ  第２のインダクタ
２４  電源端子
２６  スイッチ回路
【図１】
2009218907.tif 000003
【図２】
2009218907.tif 000004
【図３】
2009218907.tif 000005
【図４】
2009218907.tif 000006